(57)【要約】【課題】専用の装置なしに主従設定が可能なリモートコントローラの主従設定方法を提供する。【解決手段】リモコン３ａ，３ｂがそれぞれ主局として起動する。制御部３１ａ，３１ｂの各々は、操作部３２ａ，３２ｂが有する空気調和に関する操作スイッチの一つを、それぞれ従局に設定する機能に割り当てる。次に、ユーザは例えば操作部３２ｂの当該操作スイッチを操作する。当該操作スイッチを認識した制御部３１ｂは自身に従局を設定する。そして、制御部３１ａ，３１ｂの各々は、当該操作スイッチを元の空気調和に関する機能に復活させる。【選択図】図１
2008232589.tif 000002
【特許請求の範囲】
【請求項１】
室内機(2)と、
空気調和に関する操作スイッチを含む操作部(32a,32b)、前記室内機と相互に通信する通信部(30a,30b)を、各々が有する第１のリモートコントローラ（3a）及び第２のリモートコントローラ（3b）と
を備える空気調和機において、
前記第１の前記リモートコントローラ及び第２の前記リモートコントローラの各々を、前記室内機と直接に通信する主局として機能させるか、前記主局として機能する前記リモートコントローラを介して前記室内機と通信する従局として機能させるかを設定する、リモートコントローラの主従設定方法であって、
（ａ）前記第１の前記リモートコントローラ及び前記第２の前記リモートコントローラは、前記主局と設定して起動し、自身が有する前記操作部(32a,32b)に含まれた前記操作スイッチを、自身を前記従局に設定する従局設定スイッチとして機能させるステップ(S10a,S10b)と、
（ｂ）前記ステップ（ａ）の実行後に、前記第１の前記リモートコントローラの前記従局設定スイッチの操作によって、前記第１の前記リモートコントローラは、自身を前記従局に設定するステップ(S11b,S12b)と、
（ｃ）前記ステップ（ｂ）の実行後に、前記第１の前記リモートコントローラが、自身の前記従局設定スイッチを、前記空気調和に関する機能に復活させるステップと
を実行する、リモートコントローラの主従設定方法。
【請求項２】
室内機(2)と、
空気調和に関する操作スイッチを含む操作部(32a,32b)、前記室内機と相互に通信する通信部(30a,30b)を、各々が有する第１のリモートコントローラ（3a）及び第２のリモートコントローラ（3b）と
を備える空気調和機において、
前記第１の前記リモートコントローラ及び第２の前記リモートコントローラを、前記室内機と直接に通信する主局として機能させるか、前記主局として機能する前記リモートコントローラを介して前記室内機と通信する従局として機能させるかを設定する、リモートコントローラの主従設定方法であって、
（ａ）前記第１の前記リモートコントローラ及び前記第２の前記リモートコントローラが、自身が有する前記操作部(32a,32b)に含まれた前記操作スイッチを、自身を前記主局又は前記従局に設定する予約を行う予約スイッチとして機能させるステップ(S21a,S21b)と、
（ｂ）前記ステップ（ａ）の実行後に、前記第１の前記リモートコントローラの前記予約スイッチ及び前記第２の前記リモートコントローラの前記予約スイッチの少なくとも何れか一方の操作によって、前記第１の前記リモートコントローラは自身を前記主局に、前記第２の前記リモートコントローラは自身を前記従局に設定する予約を行うステップ(S22a,S22b)と、
（ｃ）前記ステップ（ｂ）の実行後に、前記第１の前記リモートコントローラ及び前記第２の前記リモートコントローラが、前記予約が行われる前に自身に設定されていた前記主局又は前記従局として動作するステップ(S23a,S23b)と、
（ｄ）前記ステップ（ｃ）の実行後に、前記第１の前記リモートコントローラ及び前記第２の前記リモートコントローラを再起動するステップ(S24a,S24b)と、
（ｅ）前記ステップ（ｄ）の実行後に、前記第１の前記リモートコントローラが前記主局として、前記第２の前記リモートコントローラが前記従局として設定されるステップ（S25a,S25b）と
を実行する、リモートコントローラの主従設定方法。
【請求項３】
前記ステップ（ａ）では、
（ａ−１）前記第１の前記リモートコントローラ及び前記第２の前記リモートコントローラは、自身が前記主局か前記従局のいずれに設定されているかを表示するステップ（S21a,S21b）を
更に実行する、請求項２に記載のリモートコントローラの主従設定方法。
【請求項４】
（ｆ）前記ステップ（ｃ）と前記ステップ（ｄ）の間で、前記第１の前記リモートコントローラ及び前記第２のリモートコントローラは、自身が前記主局か前記従局のいずれに予約されたかを表示するステップを
更に実行する、請求項２又は３に記載のリモートコントローラの主従設定方法。
【請求項５】
室内機(2)と、
空気調和に関する操作スイッチを含む操作部(32a,32b)と、前記室内機と相互に通信する通信部(30a,30b,31a,31b)と、請求項１乃至請求項４の何れか一つに記載のリモートコントローラの主従設定方法を実行する制御部(31a,31b)とを、各々が有する第１のリモートコントローラ（3a）及び第２のリモートコントローラ（3b）と
を備える、空気調和機。
【発明の詳細な説明】
【技術分野】
【０００１】
本発明は、リモートコントローラの主従設定方法及び空気調和機に関し、例えば空気調和機に用いられるリモートコントローラに関する。
【背景技術】
【０００２】
複数のリモコンを備える空気調和機において、リモコンが直接に室内機と通信する主局として動作するのか、主局であるリモコンを介して室内機と通信する従局として動作するのかを設定する主従設定は、リモコンに設けられた専用のハードウェアスイッチを操作して行われていた。
【０００３】
なお、本発明に関連する技術として特許文献１が開示されている。
【０００４】
【特許文献１】特開平１１−３３７１５６号公報
【発明の開示】
【発明が解決しようとする課題】
【０００５】
しかしながら、このような専用のハードウェアスイッチは製品のコストアップを招いていた。
【０００６】
そこで、本発明は専用の装置なしに、主従設定が可能なリモートコントローラの主従設定方法を提供することを目的とする。
【課題を解決するための手段】
【０００７】
本発明に係るリモートコントローラの主従設定方法の第１の態様は、室内機(2)と、空気調和に関する操作スイッチを含む操作部(32a,32b)、前記室内機と相互に通信する通信部(30a,30b)を、各々が有する第１のリモートコントローラ（3a）及び第２のリモートコントローラ（3b）とを備える空気調和機において、前記第１の前記リモートコントローラ及び第２の前記リモートコントローラの各々を、前記室内機と直接に通信する主局として機能させるか、前記主局として機能する前記リモートコントローラを介して前記室内機と通信する従局として機能させるかを設定する、リモートコントローラの主従設定方法であって、（ａ）前記第１の前記リモートコントローラ及び前記第２の前記リモートコントローラは、前記主局と設定して起動し、自身が有する前記操作部(32a,32b)に含まれた前記操作スイッチを、自身を前記従局に設定する従局設定スイッチとして機能させるステップ(S10a,S10b)と、（ｂ）前記ステップ（ａ）の実行後に、前記第１の前記リモートコントローラの前記従局設定スイッチの操作によって、前記第１の前記リモートコントローラは、自身を前記従局に設定するステップ(S11b,S12b)と、（ｃ）前記ステップ（ｂ）の実行後に、前記第１の前記リモートコントローラが、自身の前記従局設定スイッチを、前記空気調和に関する機能に復活させるステップとを実行する。
【０００８】
本発明に係るリモートコントローラの主従設定方法の第２の態様は、室内機(2)と、空気調和に関する操作スイッチを含む操作部(32a,32b)、前記室内機と相互に通信する通信部(30a,30b)を、各々が有する第１のリモートコントローラ（3a）及び第２のリモートコントローラ（3b）とを備える空気調和機において、前記第１の前記リモートコントローラ及び第２の前記リモートコントローラを、前記室内機と直接に通信する主局として機能させるか、前記主局として機能する前記リモートコントローラを介して前記室内機と通信する従局として機能させるかを設定する、リモートコントローラの主従設定方法であって、（ａ）前記第１の前記リモートコントローラ及び前記第２の前記リモートコントローラが、自身が有する前記操作部(32a,32b)に含まれた前記操作スイッチを、自身を前記主局又は前記従局に設定する予約を行う予約スイッチとして機能させるステップ(S21a,S21b)と、（ｂ）前記ステップ（ａ）の実行後に、前記第１の前記リモートコントローラの前記予約スイッチ及び前記第２の前記リモートコントローラの前記予約スイッチの少なくとも何れか一方の操作によって、前記第１の前記リモートコントローラは自身を前記主局に、前記第２の前記リモートコントローラは自身を前記従局に設定する予約を行うステップ(S22a,S22b)と、（ｃ）前記ステップ（ｂ）の実行後に、前記第１の前記リモートコントローラ及び前記第２の前記リモートコントローラが、前記予約が行われる前に自身に設定されていた前記主局又は前記従局として動作するステップ(S23a,S23b)と、（ｄ）前記ステップ（ｃ）の実行後に、前記第１の前記リモートコントローラ及び前記第２の前記リモートコントローラを再起動するステップ(S24a,S24b)と、（ｅ）前記ステップ（ｄ）の実行後に、前記第１の前記リモートコントローラが前記主局として、前記第２の前記リモートコントローラが前記従局として設定されるステップ（S25a,S25b）とを実行する。
【０００９】
本発明に係るリモートコントローラの主従設定方法の第３の態様は、第２の態様にかかる主従設定方法であって、前記ステップ（ａ）では、（ａ−１）前記第１の前記リモートコントローラ及び前記第２の前記リモートコントローラは、自身が前記主局か前記従局のいずれに設定されているかを表示するステップ（S21a,S21b）を更に実行する。
【００１０】
本発明に係るリモートコントローラの主従設定方法の第４の態様は、第２又は第３の態様にかかる主従設定方法であって、（ｆ）前記ステップ（ｃ）と前記ステップ（ｄ）の間で、前記第１の前記リモートコントローラ及び前記第２のリモートコントローラは、自身が前記主局か前記従局のいずれに予約されたかを表示するステップを更に実行する。
【００１１】
本発明に係る空気調和機の第１の態様は、室内機(2)と、空気調和に関する操作スイッチを含む操作部(32a,32b)と、前記室内機と相互に通信する通信部(30a,30b,31a,31b)と、第１乃至第４の何れか一つに係るリモートコントローラの主従設定方法を実行する制御部(31a,31b)とを、各々が有する第１のリモートコントローラ（3a）及び第２のリモートコントローラ（3b）とを備える。
【発明の効果】
【００１２】
本発明に係るリモートコントローラの主従設定方法の第１の態様によれば、主局、従局を設定するための専用の装置なしに、リモートコントローラの主従設定を行うことができる。
【００１３】
本発明に係るリモートコントローラの主従設定方法の第２の態様によれば、リモートコントローラへの主局、従局の設定を行う予約をしたうえで、再起動するので、リモートコントローラに設定される主局と従局が変更された直後の通信不良を防止することができる。
【００１４】
本発明に係るリモートコントローラの主従設定方法の第３の態様によれば、リモートコントローラが主局に設定されているのか従局に設定されているのかを視認して、リモートコントローラへの主従設定の予約を行うことができる。
【００１５】
本発明に係るリモートコントローラの主従設定方法の第４の態様によれば、リモートコントローラが主局に予約されているのか従局に予約されているのかを視認することができる。
【００１６】
本発明に係る空気調和機の第1の態様によれば、第1乃至第4の態様に係るリモートコントローラの主従設定方法の実現に寄与する空気調和機を提供できる。
【発明を実施するための最良の形態】
【００１７】
本発明に係る実施の形態のリモートコントローラの主従設定方法について、図を参照して説明する。なお、同一符号は同一又は相当部分を示し、重畳する説明は省略する。
【００１８】
第１の実施の形態．
図１は空気調和機を示す概念的な構成図である。空気調和機は、室外機１と、室内機２と、複数のリモコン３ａ，３ｂとを備えている。なお、以下の説明において、室外機１、室内機２、リモコン３ａ，３ｂの空気調和に関する構成や機能については、発明の本質ではないため詳述を避ける。
【００１９】
室外機１は室内機２と通信可能に接続されており、室内機２へと制御信号を出力することができる。
【００２０】
室内機２はリモコン３ａ，３ｂと通信ライン４を介して接続されており、相互に通信可能である。また、室外機１及び室内機２は図示しないファンや熱交換器等を備えて冷媒回路を構成しており、暖房運転や冷房運転を実現する。
【００２１】
リモコン３ａは、通信部３０ａと、制御部３１ａと、操作部３２ａと、記録部３３ａとを備えている。
【００２２】
通信部３０ａは、室内機２及びリモコン３ｂと通信ライン４を介して接続され相互に通信することができる。
【００２３】
操作部３２ａは、外部のユーザによって操作可能に設けられており、空気調和に関する操作スイッチの複数を備えている。これらの操作スイッチとしては、例えば暖房、冷房運転を切り替える運転切替スイッチや、室内温度を所定の温度に設定する際に設定温度を上げる上昇スイッチ、設定温度を下げる下降スイッチ等が挙げられる。
【００２４】
制御部３１ａは、操作部３２ａが備える操作スイッチの各々を所定の機能に割り当てる機能と、自身のリモコン３ａが、直接に室内機２と通信する主局として動作するのか、主局として機能するリモコンを介して室内機２と通信する従局として動作するのかを、設定する機能と、自身が主局であれば初期化通信処理を開始する機能と、自身が主局であれば自身及び従局のリモコンに通信用アドレスを設定する（以下、オートアドレス設定と呼ぶ）機能とを有する。
【００２５】
なお、これらの機能は制御部３１ａが図示しないメモリに格納されたプログラムを実行することによって実現されるが、図１においては、リモコン３ａが主局として動作するのか従局として動作するのかを設定する機能は、便宜的に主従設定部３１０ａとして示されている。
【００２６】
記録部３３ａにはリモコン３ａが主局、従局のいずれで動作するのかを示す主従設定情報が記録される。
【００２７】
また、通信部３０ａ，制御部３１ａ，操作部３２ａ，記録部３３ａは既存のリモコンに設けられているものであり、本発明はこれら既存のリモコンを用いて実現することができる。なお、リモコン３ｂの概略的な構成はリモコン３ａと同一である。以下の説明において、リモコン３ａに対応するリモコン３ｂの各構成要素には符号ａの代わりに符号ｂを追記して説明する。
【００２８】
続いて、本空気調和機におけるリモコンの主従設定方法について説明する。図２はリモコンの主従設定方法の一例を示すフローである。
【００２９】
まず、例えばリモコン３ａ及びリモコン３ｂに電源が給電されると、ステップＳ１０ａ及びステップＳ１０ｂにて、制御部３１ａ，３１ｂは例えば記録部３３ａ，３３ｂを読み取ってそれぞれ主局として起動する。なお、この場合、記録部３３ａ，３３ｂには予め主局である主従設定情報が格納されている。そして、制御部３１ａ，３１ｂは操作部３２ａ，３２ｂが有する操作スイッチ、例えば運転切替スイッチを、従局に設定する従局設定スイッチとしてそれぞれ機能させる。
【００３０】
そして、リモコン３ａ及びリモコン３ｂはそれぞれ主局として動作し、制御部３１ａ，３１ｂはオートアドレス設定を開始する。オートアドレス設定は、例えば主局であるリモコンが従局であるリモコンからシリアル番号を取得して、当該シリアル番号を有するリモコンに通信用アドレスを設定することで実行される。この段階では、リモコン３ａ，３ｂが共に同じ主局に設定されているので、オートアドレス設定は正常に開始できない。そして、制御部３１ａ，３１ｂは繰り返しオートアドレス設定を開始しようとする。
【００３１】
次に、例えばステップＳ１１ｂにて、リモコン３ｂを従局に設定すべく、ユーザは操作部３２ｂが備える従局設定スイッチ（運転切替スイッチ）を操作する。
【００３２】
次に、ステップＳ１２ｂにて、主従設定部３１０ｂは従局設定スイッチの操作を認識すると、自身を従局に設定する。具体的には、記録部３３ｂに従局であること示す主従設定情報を書き込む。以降は、リモコン３ｂは従局として動作し、オートアドレス設定は行わない。
【００３３】
このように、リモコン３ａが主局として動作し、リモコン３ｂが従局として動作するので、制御部３１ａは正常にオートアドレス設定を開始することができ、リモコン３ａ，３ｂに通信用アドレスを設定することができる。
【００３４】
オートアドレス設定が正常に終了した後、ステップＳ１１ａ，Ｓ１３ｂにて、主局であるリモコン３ａの制御部３１ａは初期化通信処理を実行する。具体的に、制御部３１ａは例えば室内機２の状態（例えば、室内機２が冷房運転状態か暖房運転状態かなどの情報）を取得し、従局であるリモコン３ｂへと送信する。そして、制御部３１ａ，３１ｂはそれぞれ記録部３３ａ，３３ｂに当該状態を書き込み、リモコン３ａ，３ｂにおける互いの情報を統一（初期化）する。制御部３１ｂは記録部３３ｂに当該状態を正常に書き込んだことをリモコン３ａに通知して、ステップＳ１１ａ，Ｓ１３ｂの初期化通信処理を正常に終了する。その後、制御部３１ａ，３１ｂが運転切替スイッチの機能を元の空気調和に関する機能に復活させた上で、リモコン３ａ，３ｂは通常運転へと移行する。
【００３５】
以降は、リモコン３ａは直接に室内機２と通信を行い、リモコン３ｂはリモコン３ａを介して室内機２と通信を行う。
【００３６】
以上のように、主局、従局を設定するための専用の装置なしに、リモートコントローラの主従設定を行うことができる。
【００３７】
なお、リモコン３ａを従局として設定する場合は、ステップＳ１１ｂに代えてステップＳ１０ａの実行後に、ユーザがリモコン３ａの従局設定スイッチ（例えば運転切替スイッチ）を操作すればよい。
【００３８】
第２の実施の形態．
図３は空気調和機を示す概念的な構成図である。図１に示す空気調和機と比較して、リモコン３ａ，３ｂがそれぞれ表示部３４ａ，３４ｂを更に備えている。なお、これらの表示部３４ａ，３４ｂも既存のリモコンに設けられているものである。
【００３９】
制御部３１ａは、さらに表示部３４ａを制御することができる機能を有している。この機能についても図示しないメモリに格納されたプログラムを実行することで実現することができ、図３においては表示制御部３１１ａとして示されている。なお、制御部３１ｂについても同様である。
【００４０】
また、主従設定部３１０ａは、リモコン３ａの起動時に記録部３３ａを読み取って、予約情報（後述する）が記録されていれば、当該予約情報に基づいて自身に主局又は従局を設定する。主従設定部３１０ｂについても同様である。
【００４１】
続いて、本空気調和機におけるリモコンの主従設定方法について説明する。図４はリモコンの主従設定方法の一例を示すフローである。なお、リモコン３ａ，３ｂは予めそれぞれ主局、従局に設定されているものとして説明するが、特にこれに限定されない。
【００４２】
まず、例えばリモコン３ａに給電されると、ステップＳ２０ａ，Ｓ２０ｂにて、制御部３１ａ，３１ｂ（主従設定部３１０ａ，３１０ｂ）は、記録部３３ａ，３３ｂを読み取って予約情報が記録されているかどうかを判断する。ここでは、予約情報が書き込まれていないものとして説明する。そして、制御部３１ａは操作部３２ａが備える操作スイッチを、主局又は従局に設定する予約を行う予約スイッチとして機能させる。
【００４３】
例えば、操作部３２ａが備える上昇スイッチに、主局の設定を予約する機能を割り当て、下降スイッチに、従局の設定を予約する機能を割り当てる。次に、表示制御部３１１ａは自身への主従設定に関する主従切替画面を表示する。より具体的には、表示制御部３１１ａ，３１１ｂは現在、自身に主局が設定されているのか従局が設定されているのかを表示する。更に、上昇スイッチが主局に設定するためのスイッチである旨、下降スイッチが従局に設定するためのスイッチである旨を表示してもよい。
【００４４】
リモコン３ｂに給電された場合に、ステップＳ２０ｂで実行する内容は、ステップＳ２０ａにて実行される制御部３１ａの動作と同様であるので、説明を省略する。
【００４５】
次にユーザはステップＳ２１ａ，Ｓ２１ｂにて、リモコン３ａ，３ｂの一方を主局に他方を従局に予約する。例えば、ステップＳ２１ａにて、ユーザは操作部３２ａの予約スイッチ（下降スイッチ）を操作する。当該操作を認識した制御部３１ａは、記録部３３ａに従局に設定するための予約情報を記録する。ステップＳ２１ｂでは、ユーザは操作部３２ｂの予約スイッチ（上昇スイッチ）を操作する。当該操作を認識した制御部３１ｂは、記録部３３ｂに主局に設定するための予約情報を書き込む。
【００４６】
次に、ステップＳ２２ａ，Ｓ２２ｂにて、制御部３１ａは予約される前に自身に設定されていた主局として動作し、制御部３１ｂは予約される前に自身に設定されていた従局として動作する。即ち、ユーザがステップＳ２１ａ，２１ｂにて操作部３２ａ，３２ｂを操作してもすぐには主局，従局の設定が変更されない。
【００４７】
次に、ステップＳ２３ａ，Ｓ２３ｂにて、制御部３１ａ，３１ｂは再起動を実行する。例えばユーザが電源の給電を一旦遮断した後に再供給したり、再起動させる機能を割り当てた操作スイッチを操作して、リモコン３ａ，３ｂを再起動させてもよい。
【００４８】
次に、ステップＳ２４ａ，Ｓ２４ｂにて、制御部３１ａ，３１ｂ（主従設定部３１０ａ，３１０ｂ）は記録部３３ａ，３３ｂに記録された予約情報を読み取って、当該予約情報に基づいて自身に主局又は従局に設定する。即ち、以降は、リモコン３ａは従局として動作し、リモコン３ｂは主局として動作する。
【００４９】
次に、ステップＳ２５ｂにて、主局であるリモコン３ｂの制御部３１ｂがオートアドレス設定を実行してリモコン３ａ，３ｂに通信用アドレスを設定する。
【００５０】
次に、ステップＳ２５ａ，Ｓ２６ｂにて、リモコン３ｂが主局として初期化通信処理を開始し、リモコン３ａ，３ｂが初期化通信処理を正常に終了した後に、通常運転へと移行する。
【００５１】
以上のように、主従設定のための専用の装置なしに、リモコンの主従設定を行うことができる。また、ユーザが操作した直後にリモコンの主局及び従局が切り替わって通信した場合、その直後の通信には異常が発生して、室内ユニットが誤動作する可能性がある。しかし、本第２の実施の形態によれば、再起動してリモコン３ａ，３ｂの主局，従局を変更する前は両者の変更前の動作が確保されるので、このような通信異常を防止でき、以って室内機の誤動作を防ぐことができる。
【００５２】
また、ステップＳ２０ａ，２０ｂにて表示制御部３１１ａ，３１１ｂは表示部３４ａ，３４ｂに、自身に設定されている主局又は従局をそれぞれ表示するので、ユーザは実際に現在どちら（主局又は従局）でリモコン３ａ，３ｂが動作しているのか視認して主従設定の予約を行うことができる。なお、表示制御部３１１ａ，３１１ｂはそれぞれステップＳ２２ａ，２２ｂにて、操作スイッチによって入力された予約情報を表示部３４ａ，３４ｂにそれぞれ表示しても構わない。この場合であれば、リモコン３ａ，３ｂが主局に予約されているのか従局に予約されているのかを視認できる。
【００５３】
なお、本第２の実施の形態においては、リモコン３ａ，３ｂが給電されると、図４に示すフローが開始するとして説明しているがこれに限らない。例えば、空気調和機の通常運転中であっても、通常の運転であればしないような特殊操作、例えば運転切替スイッチ、上昇スイッチ、及び下降スイッチを所定の期間中押し続ける操作等、を制御部３１ａ，３１ｂが認識して図４に示すリモコンの主従設定方法を実行してもよい。この場合、リモコン３ａ，３ｂの何れか一方に特殊操作を行い、一方のリモコンが他方のリモコンに特殊操作が行われたことを通知してもよい。また、ステップＳ２３ａ，Ｓ２３ｂでは、リモコン３ａ，３ｂの何れか一方が他方へと再起動する旨を通知して実行してもよい。
【図面の簡単な説明】
【００５４】
【図１】第１の実施の形態に係る空気調和機の一例を示す概念的な構成図である。
【図２】第１の実施の形態に係るリモートコントローラの主従設定方法の一例を示す図である。
【図３】第２の実施の形態に係る空気調和機の一例を示す概念的な構成図である。
【図４】第２の実施の形態に係るリモートコントローラの主従設定方法の一例を示す図である。
【符号の説明】
【００５５】
２  室内機
３ａ，３ｂ  リモコン
３１ａ，３１ｂ  通信部
３２ａ，３２ｂ  操作部
３４ａ，３４ｂ  表示部
３１０ａ，３１０ｂ  主従設定部
３１１ａ，３１１ｂ  表示制御部
【図１】
2008232589.tif 000003
【図２】
2008232589.tif 000004
【図３】
2008232589.tif 000005
【図４】
2008232589.tif 000006